(57)【要約】      （修正有）【課題】スプリンクラヘッドを立ち下げ配管から外す際に、前記管内の水が極力流れ出ないようにする。【解決手段】給水管から分岐され、スプリンクラヘッド３の配置位置へ、該ヘッド３の接続部が立ち下げられる立ち下げ配管であって；前記接続部にねじ込まれる前記ヘッドのノズル部２７上端に当接して押し上げられる略円筒状の当たり部１５と、該当たり部１５に連動し、前記配管に形成された弁座部１９ｄを開閉する弁体１１と、前記当たり部１５が前記弁体１１を押し上げる際に前記弁体１１の下方に流路として、前記当たり部１５の上側に開口された通水口１５ａと、からなる開閉機構Ｓを備えている。【選択図】図１
2007267765.tif 000002
【特許請求の範囲】
【請求項１】
給水管から分岐され、スプリンクラヘッドの配置位置へ、該ヘッドの接続部が立ち下げられる立ち下げ配管であって；
前記接続部にねじ込まれる前記ヘッドのノズル部上端に当接して押し上げられる略円筒状の当たり部と、
該当たり部に連動し、前記配管に形成された弁座部を開閉する弁体と、
前記当たり部が前記弁体を押し上げる際に前記弁体の下方に流路として、前記当たり部の上側に開口された通水口と、
からなる開閉機構を有することを特徴とするスプリンクラヘッドの立ち下げ配管。
【請求項２】
前記当たり部の外径は、前記当たり部の外周面が接する配管の内径とほぼ同一であることを特徴とする請求項１記載のスプリンクラヘッドの立ち下げ配管。
【請求項３】
前記弁体は、その中心部に立設されたロッドを有し、該ロッドが摺動自在に該ロッドを支持する支持部材を前記立ち下げ配管内に有することを特徴とする請求項１記載のスプリンクラヘッドの立ち下げ配管。
【発明の詳細な説明】
【技術分野】
【０００１】
この発明は、立ち下げ配管に取り付けられているスプリンクラヘッドを外して保守点検等を行う際に、該配管内の水が極力外部に排出されないようにした、スプリンクラヘッドの立ち下げ配管に関するものである。
【背景技術】
【０００２】
湿式スプリンクラ消火設備のスプリンクラヘッドは、制御弁の二次側に配設されている給水管に、立ち下げ配管を介して連結されている。このスプリンクラヘッドは、定期的に保守点検を行なわなければならないが、この保守点検の際には、スプリンクラヘッドを立ち下げ配管から外さなければならないことがある。スプリンクラヘッドを取り外す場合は、腐食等による交換、或いは、間仕切り変更等による移設、増設の場合が殆どであるが、このように、スプリンクラヘッドを取り外して保守点検作業を行う際には、排水弁を開けて前記給水管内の水を抜き出した後に、該スプリンクラヘッドを立ち下げ配管から外している（例えば、特許文献１、参照）。
【０００３】
【特許文献１】実公平５−４８４６号公報
【発明の開示】
【発明が解決しようとする課題】
【０００４】
従来例では、水平方向を向いている給水管内の水は、容易に排水することができるが、垂直方向を向いている立ち下げ配管内の水は排水されないので、残留してしまう。そのため、前記配管からスプリンクラヘッドを外すと、多量の水が床面に向かって放出され、周囲が水浸しとなって水損が発生する。
【０００５】
この発明は、上記事情に鑑み、スプリンクラヘッドを立ち下げ配管から外す際に、前記管内の水が極力流れ出ないようにすることを目的とする。
【課題を解決するための手段】
【０００６】
この発明は、給水管から分岐され、スプリンクラヘッドの配置位置へ、該ヘッドの接続部が立ち下げられる立ち下げ配管であって；前記接続部にねじ込まれる前記ヘッドのノズル部上端に当接して押し上げられる略円筒状の当たり部と、該当たり部に連動し、前記配管に形成された弁座部を開閉する弁体と、前記当たり部が前記弁体を押し上げる際に前記弁体の下方に流路として、前記当たり部の上側に開口された通水口と、からなる開閉機構を有することを特徴とする。
【０００７】
この発明の前記当たり部の外径は、前記当たり部の外周面が接する配管の内径とほぼ同一であることを特徴とする。この発明の前記弁体は、その中心部に立設されたロッドを有し、該ロッドが摺動自在に該ロッドを支持する支持部材を前記立ち下げ配管内に有することを特徴とする。
【発明の効果】
【０００８】
この発明は、以上のような開閉機構を備えているので、スプリンクラヘッドを立ち下げ配管から外すと、弁体が降下して弁座部に着座し閉弁状態となる。そのため、該配管内の水は極わずかしか器外に放出されないので、水損の発生を防止することができる。
【発明を実施するための最良の形態】
【０００９】
本件発明は、スプリンクラヘッドの取り外しの際、立ち下げ配管内の水が極力器外に排出されないようにするために、開閉機構を設けたものである。この開閉機構は、接続部にねじ込まれる前記ヘッドのノズル部上端に当接して押し上げられる略円筒状の当たり部と、該当たり部に連動し、前記配管に形成された弁座部を開閉する弁体と、前記当たり部が前記弁体を押し上げる際に前記弁体の下方に流路として、前記当たり部の上側に開口された通水口と、から構成されている。
【実施例】
【００１０】
この発明の実施例を図１により説明する。
図示しない湿式スプリンクラ消火設備には、制御弁と、該制御弁の二次側に配設された給水管と、前記給水管の末端部に設けられた排水弁と、が設けられている。
【００１１】
前記給水管には、立ち下げ配管１が分岐して設けられているが、該配管１は、所定間隔をおいて複数設けられている。この配管１は、フレキシブル管であり、その先端部には開閉機構Ｓが設けられている。開閉機構Ｓは前記フレキシブル管１と一体に形成され、ユニット化されている。
【００１２】
前記開閉機構Ｓは、上ソケット部７と下ソケット部９とからなるソケットを備えている。この上ソケット部７は、直筒部７ａと、該直筒部７ａに連続する円錐台状部７ｂと、該円錐台状部７ｂに連続する連結筒部７ｃとから構成されている。前記直筒部７ａの内面には、雌ねじ部７ｍが形成され、又、前記連結筒部７ｃの内面にも雌ねじ部７ｎが設けられている。
【００１３】
下ソケット部９は、前記上連結筒部７ｃに螺合する下連結筒部９ｃと、該下連結筒部９ｃに連続する逆円錐台状部９ｂと、該逆円錐台状部９ｂに連続する接続筒部（接続部）９ａと、から構成されている。前記逆円錐台状部９ｂには、弁座部９ｄが形成されているが、この弁座部９ｄは、接続筒部９ａ近傍のテーパー面に形成されている。前記下連結筒部９ｃの内周面には、前記雌ねじ部７ｎと螺合する雄ねじ部９ｎが設けられ、接続筒部９ａの下端部内周面には、雌ねじ部９ｍが形成されている。この様に逆円錐台状部９ｂのテーパー面を利用して弁機構を簡便にすると共に、上ソケット部７及び下ソケット部９を膨らませることで、開閉機構Ｓによる圧損を防止している。
【００１４】
１１は、逆円錐台状に形成された弁体であり、上面中央部にはロッド１３が立設され、その下端面には、略円筒状の当たり部１５が立設されている。この当たり部１５の外径は、前記当たり部１５の外周面が接する接続筒部９ａの内径と略同一に形成されている。前記当たり部１５の上端部側には、複数の通水口１５ａが形成されているが、この流水口１５ａは、開弁時に前記逆円錐台状部９ｂ内の水が流下する際の流路となる。前記弁体１１の傾斜面には、シール部材、例えば、ゴムパッキン１７が設けられている。
【００１５】
１９は、複数の流通口１９ａを有する円板状のロッド支持部材であり、その中央部には、前記ロッド１３が貫通する貫通穴２１が設けられている。前記ロッド支持部材１９と前記弁体１１との間には、弁体１１を閉弁方向に付勢するコイルばね２３が設けられている。
【００１６】
スプリンクラヘッド３のノズル部２７の外周面には、前記雌ねじ部９ｍに螺合する雄ねじ部２７ｎが設けられ、該ノズル部２７の上端面には、前記当たり部１５の下端面を押圧する押圧部が設けられている。該スプリンクラヘッド３には、前記ノズル部２７の放水口を閉鎖する弁部材２８が設けられ、該弁部材２８は詳細に示さない感熱分解機構２９により保持されている。
【００１７】
次に、本実施例の作動について説明する。
火災監視時：
図１に示すように、スプリンクラヘッド３により当たり部１５が押し上げられ、弁体１１は弁座部９ｄから離れ、流水口１５ａが開いているので、開弁状態となっている。この状態では、給水管から供給された水ｗは、フレキシブル管１に入り、ロッド支持部材１９の流通口１９ａ、前記当たり部１５の通水口１５ａを通り、ノズル部２７に流入するが、前記放水口が弁部材２８により閉鎖されているので、放水されない。
【００１８】
保守点検時：
排水弁を開いて給水管内の水を排出させた後、スプリンクラヘッド３を所定方向に回転させると、該ヘッド３は接続筒部(接続部)９ａから外れる。そうすると、図２に示すように、弁体１１は、コイルばね２３の復元力と該配管１内の水圧を受け、当たり部１５に案内されながら下方に移動し、弁座部９ｄに着座する。このとき、当たり部１５の外径は、接続筒部９ａの内径と略同一に形成されているので、弁体１１は、円滑に下降することができる。
【００１９】
又、該弁体１１と弁座部１９ｄとの間には、ゴムパッキン１７が介在しているので、完全にシールされる。そのため、水ｗの流路は完全に閉鎖される。前記ヘッド３の取り外しの際における排水は、少量であり、例えば、当たり部１５内の水量プラスα（極わずかの水量）、である。このように取り外されたスプリンクラヘッド３は、目視等による腐食や加重試験を行って、良否を判別することができる。
【００２０】
スプリンクラヘッド３の保守点検作業終了後、該ヘッドに異常があれば新しいスプリンクラヘッドに交換し、異常がなければ該ヘッド３のノズル部２７（接続部）を接続筒部９ａにねじ込んで当たり部１５を押し上げると、弁体１１はロッド１３に案内されながら円滑に上昇する。そうすると、図１に示す様に、弁体１１は弁座部９ｄから離れるとともに、通水口１５ａが開くので、開弁状態となる。
【００２１】
なお、この開閉機構Ｓによる水損防止の効果は、保守点検時のみでなく、スプリンクラヘッド３の移設などで着脱する全ての場合に得られる。又、施工時に、ヘッドの付け忘れによる水張り時の水損事故防止となる。さらに、改修工事において、水抜き水張りを大掛かりに行う必要がなく、作業が容易となる。
【図面の簡単な説明】
【００２２】
【図１】本発明の実施例を示す一部縦断面の正面図である。
【図２】図１と異なる状態（閉弁状態）を示す一部縦断面の正面図である。
【符号の説明】
【００２３】
１    立ち下げ配管
３    スプリンクラヘッド
７    上ソケット部
９    下ソケット部
９ａ  接続筒部
９ｄ  弁座部
１１  弁体
１３  ロッド
１５  当たり部
１９  ロッド支持部材
２７  ノズル部
【図１】
2007267765.tif 000003
【図２】
2007267765.tif 000004